(57)【要約】      （修正有）【課題】ビーズランプの提供。【解決手段】本考案のビーズランプ１０は電線１６、バルブ１２、第１ビーズ装飾アクセサリ２４及び第２ビーズ装飾アクセサリ２６で構成されている。該電線は交錯配列された第１区域と第２区域を具え、各第１区域に第１ビーズ装飾アクセサリが配置され、少なくとも一部の電線の第１区域が遠心されて第１ビーズ装飾アクセサリを貫通する。各第２区域にバルブが配置及び接続され、並びに第２ビーズ装飾アクセサリが取り付けられ、該第２ビーズ装飾アクセサリに内部空間が形成されて該バルブを収容する。一定数量の第１ビーズ装飾アクセサリが隣り合う第２ビーズ装飾アクセサリの間の第１区域に取り付けられ、これにより隣り合う第２ビーズ装飾アクセサリの間の電線が実質的に第１ビーズ装飾アクセサリに被覆される。【選択図】図１
0003104267.tif 000002
【実用新案登録請求の範囲】
【請求項１】
第１区域と第２区域を具えた電線と、該電線の第２区域に接続された少なくとも一つのバルブを具えたビーズランプにおいて、該電線の第１区域に組み合わされた第１装飾アクセサリを具え、該第１装飾アクセサリを該電線が貫通し、該装飾アクセサリが該電線を被覆するよう形成されたことを特徴とする、ビーズランプ。
【請求項２】
請求項１記載のビーズランプにおいて、前記第１装飾アクセサリが前記電線の第１区域を通す開口が形成された第１球体を具えたことを特徴とする、ビーズランプ。
【請求項３】
請求項２記載のビーズランプにおいて、前記第１球体が相互に接続された第１部分と第２部分を具えたことを特徴とする、ビーズランプ。
【請求項４】
請求項３記載のビーズランプにおいて、前記第１球体が中空とされて第１半球体と第２半球体を具え、該第１半球体及び第２半球体の開口辺縁が相互に接続され、開口辺縁にそれぞれ凹口が形成されて、第１半球体及び第２半球体が接合される時、該凹口が合併して開口を形成することを特徴とする、ビーズランプ。
【請求項５】
請求項３記載のビーズランプにおいて、前記第１部分と第２部分が第１位置に沿って枢設され、並びに第２位置部分に開閉可能な接続が形成されたことを特徴とする、ビーズランプ。
【請求項６】
請求項５記載のビーズランプにおいて、前記第１部分に弾性爪が配置され、第２部分に凹口が配置され、弾性爪と凹口の噛み合いにより第１部分と第２部分の開閉可能な接続が形成されることを特徴とする、ビーズランプ。
【請求項７】
請求項１記載のビーズランプにおいて、中空の第２装飾アクセサリを更に具え、その内部にバルブが収容され、該第２装飾アクセサリが電線の第２区域を被覆することを特徴とする、ビーズランプ。
【請求項８】
請求項７記載のビーズランプにおいて、第２装飾アクセサリが第２球体を具え、該第２球体に開口が形成されて電線の第２区域を通過させ、これにより電線の第２区域が第２装飾アクセサリに被覆されることを特徴とする、ビーズランプ。
【請求項９】
請求項８記載のビーズランプにおいて、前記第２球体が相互に接続された第１部分と第２部分を具えたことを特徴とする、ビーズランプ。
【請求項１０】
請求項９記載のビーズランプにおいて、前記第２球体が第１半球体と第２半球体を具え、該第１半球体及び第２半球体の開口辺縁が相互に接続され、開口辺縁にそれぞれ凹口が形成されて、第１半球体及び第２半球体が接合される時、該凹口が合併して開口を形成することを特徴とする、ビーズランプ。
【請求項１１】
請求項９記載のビーズランプにおいて、第２球体の第１部分と第２部分が第１位置に沿って枢設され、並びに第２位置部分に開閉可能な接続が形成されたことを特徴とする、ビーズランプ。
【請求項１２】
請求項１１記載のビーズランプにおいて、第２球体の第１部分に弾性爪が配置され、第２部分に凹口が配置され、弾性爪と凹口の噛み合いにより第１部分と第２部分の開閉可能な接続が形成されることを特徴とする、ビーズランプ。
【請求項１３】
請求項７記載のビーズランプにおいて、第２装飾アクセサリの内部に二つのバルブが収容されたことを特徴とする、ビーズランプ。
【請求項１４】
請求項７記載のビーズランプにおいて、バルブがクリップを具え、該クリップが電線の第１区域を挟持することを特徴とする、ビーズランプ。
【請求項１５】
請求項７記載のビーズランプにおいて、第２球体にホルダが形成されて、該ホルダによりバルブが第２球体内に固定されることを特徴とする、ビーズランプ。
【請求項１６】
請求項１３記載のビーズランプにおいて、第２球体にホルダが形成されて、該ホルダによりバルブが第２球体内に固定されることを特徴とする、ビーズランプ。
【請求項１７】
請求項１記載のビーズランプにおいて、第１装飾アクセサリが玩具形構造とされたことを特徴とする、ビーズランプ。
【請求項１８】
請求項１記載のビーズランプにおいて、第１装飾アクセサリが星形構造とされたことを特徴とする、ビーズランプ。
【請求項１９】
請求項７記載のビーズランプにおいて、第１装飾アクセサリが玩具形構造とされたことを特徴とする、ビーズランプ。
【請求項２０】
請求項７記載のビーズランプにおいて、第１装飾アクセサリが星形構造とされたことを特徴とする、ビーズランプ。
【考案の詳細な説明】
【技術分野】
【０００１】
本考案は祝賀活動に用いられる装飾用ランプ、特に、複数の中空ビーズ装飾アクセサリで構成されたビーズランプであり、ビーズ装飾アクセサリで電線が被覆されて全体の美観を呈するよう形成されたビーズランプに関する。
【背景技術】
【０００２】
ツリーランプは広く祝日や祝賀活動、特にクリスマスに装飾用に使用されている。周知のツリーランプは電線に複数のバルブシートが接続され、バルブが取り付けられ、並びに電線に接続されたプラグが壁のコンセントに差し込まれて電力を取得する。
【０００３】
現在市場には各種のツリーランプが販売されている。しかし、業者の設計の重点はバルブの改良或いはツリーランプの点滅の機能にあり、ツリーランプの電源部分や、電線の配置或いはその外観を良くすることに対してはあまり研究されていない。周知のツリーランプ製品中、電線は単純に電源に接続する機能を有するのみで、外観上、装飾の効果を具備していない。
【０００４】
このため、電線部分に適当な設計を加えて、外観を良くすれば、ツリーランプの全内の外観が良くなり、大幅にツリーランプの装飾効果を高めることができる。
【考案の開示】
【考案が解決しようとする課題】
【０００５】
本考案の主要な目的は、一種の装飾用ツリーランプを提供することにあり、それは電線とバルブの外観を良くしたものとする。
【０００６】
本考案の次の目的は、一種のビーズランプを提供することにあり、それは複数のバルブと電線に配置されたビーズ装飾アクセサリで構成したものとする。
【０００７】
本考案の別の目的は、一種のビーズランプを提供することにあり、それは美観を有するバルブと電線を具え、高い装飾効果を有するものとする。
【課題を解決するための手段】
【０００８】
請求項１の考案は、第１区域と第２区域を具えた電線と、該電線の第２区域に接続された少なくとも一つのバルブを具えたビーズランプにおいて、該電線の第１区域に組み合わされた第１装飾アクセサリを具え、該第１装飾アクセサリを該電線が貫通し、該装飾アクセサリが該電線を被覆するよう形成されたことを特徴とする、ビーズランプとしている。
請求項２の考案は、請求項１記載のビーズランプにおいて、前記第１装飾アクセサリが前記電線の第１区域を通す開口が形成された第１球体を具えたことを特徴とする、ビーズランプとしている。
請求項３の考案は、請求項２記載のビーズランプにおいて、前記第１球体が相互に接続された第１部分と第２部分を具えたことを特徴とする、ビーズランプとしている。
請求項４の考案は、請求項３記載のビーズランプにおいて、前記第１球体が中空とされて第１半球体と第２半球体を具え、該第１半球体及び第２半球体の開口辺縁が相互に接続され、開口辺縁にそれぞれ凹口が形成されて、第１半球体及び第２半球体が接合される時、該凹口が合併して開口を形成することを特徴とする、ビーズランプとしている。
請求項５の考案は、請求項３記載のビーズランプにおいて、前記第１部分と第２部分が第１位置に沿って枢設され、並びに第２位置部分に開閉可能な接続が形成されたことを特徴とする、ビーズランプとしている。
請求項６の考案は、請求項５記載のビーズランプにおいて、前記第１部分に弾性爪が配置され、第２部分に凹口が配置され、弾性爪と凹口の噛み合いにより第１部分と第２部分の開閉可能な接続が形成されることを特徴とする、ビーズランプとしている。
請求項７の考案は、請求項１記載のビーズランプにおいて、中空の第２装飾アクセサリを更に具え、その内部にバルブが収容され、該第２装飾アクセサリが電線の第２区域を被覆することを特徴とする、ビーズランプとしている。
請求項８の考案は、請求項７記載のビーズランプにおいて、第２装飾アクセサリが第２球体を具え、該第２球体に開口が形成されて電線の第２区域を通過させ、これにより電線の第２区域が第２装飾アクセサリに被覆されることを特徴とする、ビーズランプとしている。
請求項９の考案は、請求項８記載のビーズランプにおいて、前記第２球体が相互に接続された第１部分と第２部分を具えたことを特徴とする、ビーズランプとしている。
請求項１０の考案は、請求項９記載のビーズランプにおいて、前記第２球体が第１半球体と第２半球体を具え、該第１半球体及び第２半球体の開口辺縁が相互に接続され、開口辺縁にそれぞれ凹口が形成されて、第１半球体及び第２半球体が接合される時、該凹口が合併して開口を形成することを特徴とする、ビーズランプとしている。
請求項１１の考案は、請求項９記載のビーズランプにおいて、第２球体の第１部分と第２部分が第１位置に沿って枢設され、並びに第２位置部分に開閉可能な接続が形成されたことを特徴とする、ビーズランプとしている。
請求項１２の考案は、請求項１１記載のビーズランプにおいて、第２球体の第１部分に弾性爪が配置され、第２部分に凹口が配置され、弾性爪と凹口の噛み合いにより第１部分と第２部分の開閉可能な接続が形成されることを特徴とする、ビーズランプとしている。
請求項１３の考案は、請求項７記載のビーズランプにおいて、第２装飾アクセサリの内部に二つのバルブが収容されたことを特徴とする、ビーズランプとしている。
請求項１４の考案は、請求項７記載のビーズランプにおいて、バルブがクリップを具え、該クリップが電線の第１区域を挟持することを特徴とする、ビーズランプとしている。
請求項１５の考案は、請求項７記載のビーズランプにおいて、第２球体にホルダが形成されて、該ホルダによりバルブが第２球体内に固定されることを特徴とする、ビーズランプとしている。
請求項１６の考案は、請求項１３記載のビーズランプにおいて、第２球体にホルダが形成されて、該ホルダによりバルブが第２球体内に固定されることを特徴とする、ビーズランプとしている。
請求項１７の考案は、請求項１記載のビーズランプにおいて、第１装飾アクセサリが玩具形構造とされたことを特徴とする、ビーズランプとしている。
請求項１８の考案は、請求項１記載のビーズランプにおいて、第１装飾アクセサリが星形構造とされたことを特徴とする、ビーズランプとしている。
請求項１９の考案は、請求項７記載のビーズランプにおいて、第１装飾アクセサリが玩具形構造とされたことを特徴とする、ビーズランプとしている。
請求項２０の考案は、請求項７記載のビーズランプにおいて、第１装飾アクセサリが星形構造とされたことを特徴とする、ビーズランプとしている。
【考案の効果】
【０００９】
本考案は祝賀活動に用いられる装飾用ランプ、特に、複数の中空ビーズ装飾アクセサリで構成されたビーズランプを提供し、それは、ビーズ装飾アクセサリで電線が被覆されて全体の美観を呈するよう形成されたビーズランプである。
【考案を実施するための最良の形態】
【００１０】
図１及び図２を参照されたい。図１は本考案のビーズランプの第１実施例の立体図であり、図２は本考案のビーズランプの横断面図である。本考案のビーズランプは符号１０を以て表示され、それは、一組の電線１６を具え、該電線１６は交錯配列する第１区域と第２区域で構成されている。該ビーズランプ１０は複数のバルブ１２とバルブシート１４を具え、各バルブシート１４に一つのバルブ１２が取り付けられ、並びに電線１６の第２区域に接続されている。電線１６にプラグ１８が接続され、該プラグは壁のコンセントに差し込まれて電力をバルブ１２に供給する。このほか、電線１６に選択的にソケット２０を配置してその他の電子設備例えば別のツリーランプと接続可能とすることができる。
【００１１】
好ましくは、バルブシート１４はプラスチックで成形されたものとし、それにクリップ２２を配置して電線１６を挟持できるようにし、バルブ１２を電線１６の第２区域に平行に固定できるようにする。これによりバルブ１２をしっかりと電線１６に接続でき、バルブ１２と電線１６の組合せを更に精巧とすることができる。
【００１２】
装飾アクセサリ２４、２６はそれぞれ電線１６の第１区域及び第２区域に取り付けられ、該装飾アクセサリ２４、２６は少なくとも電線１６の第１区域及び第２区域の一部を被覆或いは包囲する。電線１６の第１区域にあって、隣り合う二つの第２装飾アクセサリ２６間に取り付けられる第１装飾アクセサリ２４の数量は随意に改変でき、これにより少なくとも一部の電線１６の第１区域が第１装飾アクセサリ２４により包囲され、第２区域は第２装飾アクセサリ２６に被覆される。この実施例中、第１装飾アクセサリ２４と第２装飾アクセサリ２６は中空球状体或いはビーズ状とされる。また、第２装飾アクセサリ２６の直径は第１装飾アクセサリ２４の直径より大きく、第２装飾アクセサリ２６のサイズはバルブ１２を収容するのに十分なサイズとされ、並びにビーズランプ１０の全体外観は多変の造形を呈する。当然、第１装飾アクセサリ２４と第２装飾アクセサリ２６は同じサイズ及び形状とされうる。
【００１３】
この実施例中、第１装飾アクセサリ２４は球状とされ、それは二つの半球体２８、３０で構成されている。該半球体２８、３０は開口辺縁がヒンジ３２で枢設され、結合して球体とされる。また、該半球体２８、３０に接続装置が配置され、それは第２半球体３０に位置する係止爪３４と第１半球体２８に位置する凹口３６とを具え、好ましくは該係止爪３４は弾性を具え、並びにヒンジ３２と相互に対応し、該凹口３６は係止爪３４に対応し、並びに係止爪３４と弾性的に噛み合い、例えば押圧により係止する方式で第１半球体２８と第２半球体３０が係止される。当然、ヒンジ３２はその他の接続工具に代替え可能であり、例えば前述の係止爪と凹口の係合方式に交換できる。また、周知の任意の接続手段に代替えでき、例えば超音波溶接及び接着剤とすることができる。
【００１４】
第１半球体２８と第２半球体３０の開口辺縁にそれぞれ凹口３８が設けられ、相互に対応する。第１半球体２８と第２半球体３０が固定されて一体とされる時、第１半球体２８と第２半球体３０の凹口３８は開口を形成し、電線１６の第１区域が貫通し延伸される。該開口の大きさは電線１６を緊密に挟持できるものとされ、並びに電線１６及び少なくともそのうちの一つの半球体２８、３０をやや変形させる。これにより、第１装飾アクセサリ２４が強固に電線１６に位置決めされ、電線に沿って移動しない。
【００１５】
この実施例中、第２装飾アクセサリ２６は実質的に同じ構造を有する。言い換えると、第２装飾アクセサリ２６は同様に第１半球体４０と第２半球体４２を具え、二つの半球体４０、４２は開口辺縁がヒンジ４４で枢設され、並びに接続装置により相互に接続され一体とされる。該接続装置は弾性を具えた係止爪４６と凹口４８を具えている。半球体４０、４２の開口辺縁の対応部分にそれぞれ凹口５０が形成され、二つの半球体４０、４２が一体に固定される時、該凹口５０が一つの開口を形成して電線１６の第２区域を通過させる。
【００１６】
図１及び図２から分かるように、バルブ１２は懸吊方式で第２装飾アクセサリ２６内に配置される。言い換えると、バルブ１２或いはバルブシート１４は直接第２装飾アクセサリ２６の半球体４０、４２に固定されない。
【００１７】
第１装飾アクセサリ２４及び第２装飾アクセサリ２６は任意の適合する材料で製造され、例えば、プラスチック、金属、紙製品、ガラス及び木材等で製造され、また任意の特定パターンを具備するものとされる。しかし、バルブ１２を配置した第２装飾アクセサリ２６は透明或いは透光性を具備してバルブ１２の光線を通過させるものとされる。
【００１８】
図３は本考案のビーズランプの第２実施例であり、該ビーズランプは符号１０Ａで表示される。それと図１及び図２のビーズランプは類似しているため、同じ部品は同じ符号を以て表示し、並びに重複した説明は省略する。該ビーズランプ１０Ａは電線１６及び電線１６に接続されたバルブシート１４を具え、バルブシート１４にバルブ１２が接続され、第１装飾アクセサリ及び第２装飾アクセサリはそれぞれ電線１６の第１及び第２区域に接続されて装飾の機能を提供する。
【００１９】
第１実施例と異なるところは、ビーズランプ１０Ａにあって、バルブシート１４に電線クリップが配置されず、第２半球体４０内にホルダ２２Ａが形成されてバルブシート１４及び電線１６が第２装飾アクセサリ２６内に固定される。これにより、ビーズランプ１０Ａにあって、バルブ１２がしっかりと第２装飾アクセサリ２６内に固定され、並びに図１、２のように第２装飾アクセサリ２６内に懸吊された状態ではない。
【００２０】
図４は本考案のビーズランプの第３実施例を示す。該ビーズランプは符号１０Ｂで表示される。それは図３のビーズランプ１０Ａの別の変化であり、同様に、同じ部品は同じ符号を以て表示され、並びに重複した説明は行なわない。該ビーズランプ１０Ｂは電線１６と電線１６に接続されたバルブシート１４を具え、第１装飾アクセサリ及び第２装飾アクセサリが電線１６の第１区域及び第２区域に組み合わされている。
【００２１】
ビーズランプ１０Ｂ中、第２装飾アクセサリ２６の第２半球体４０内にホルダ２２Ｂが形成され、該ホルダ２２Ｂに二つのバルブシート１４が配置されてバルブ１２の接続に供され、これによりバルブ１２が第２装飾アクセサリ２６内に固定される。当然、第２装飾アクセサリ２６のサイズが許せば、随意に第２装飾アクセサリ２６内のバルブ１２数量を改変できる。
【００２２】
図５は本考案のビーズランプ１０（或いは１０Ａ、１０Ｂ）の応用例であり、ビーズランプ１０がクリスマスツリー５２に取り付けられてランプ装飾効果を提供している。明らかに使用者は好み及び必要に応じてビーズランプ１０、１０Ａ、１０Ｂを任意の物品或いは場所に取り付けることができ、これにより環境を美化することができる。
【００２３】
上述の説明中、装飾アクセサリ２４、２６はビーズ状とされているが、装飾アクセサリはまた異なる形態或いは構造とされうる。例えば、図６は玩具形状とされ、この装飾アクセサリは符号１００を以て表示される。図６は図７の実施例中、一部のビーズ装飾アクセサリを玩具状の装飾アクセサリ１００或いは星形の装飾アクセサリ２００に交換したものであり、この装飾アクセサリ１００（或いは２００）とビーズ装飾アクセサリは交互に配列される。図６のビーズランプ１０Ｃのバルブ１２は各一つ或いは一部の玩具形装飾アクセサリ１００（或いは各一つ或いは一部の星形の装飾アクセサリ２００）内に設置される。或いは、バルブはビーズ装飾アクセサリ内に収容されるか、ビーズ型或いは玩具形装飾アクセサリ（星形装飾アクセサリ）の組合せ内に配置される。前述の組合せ変化により、本考案のビーズランプは全体の構造上、多変化の造形とランプ装飾効果を有し、異なる要求に合わせて美観を有する配置を達成できる。
【００２４】
以上の実施例は本考案の実施範囲を限定するものではなく、本考案に基づきなしうる細部の修飾或いは改変は、いずれも本考案の請求範囲に属するものとする。
【図面の簡単な説明】
【００２５】
【図１】本考案のビーズランプの第１実施例の立体図であり、そのうち一部のビーズ装飾アクセサリは開放状態を呈し、内部構造を表示している。
【図２】本考案のビーズランプの横断面図である。
【図３】本考案のビーズランプの第２実施例の立体図であり、そのうち一部のビーズ装飾アクセサリは開放状態を呈し、内部構造を表示している。
【図４】本考案のビーズランプの第３実施例の立体図であり、そのうち一部のビーズ装飾アクセサリは開放状態を呈し、内部構造を表示している。
【図５】本考案のビーズランプのクリスマスツリーに使用された状態表示図である。
【図６】本考案のビーズランプの第４実施例表示図であり、そのうち装飾アクセサリは玩具形構造とされている。
【図７】本考案のビーズランプの第５実施例表示図であり、そのうち装飾アクセサリは星形構造とされている。
【符号の説明】
【００２６】
１０、１０Ａ、１０Ｂ、１０Ｃ  ビーズランプ
１２  バルブ
１４  バルブシート
１６  電線
１８  プラグ
２０  ソケット
２２  クリップ
２４、２６  装飾アクセサリ
２８、３０  半球体
３４  係止爪
３６  凹口
３２  ヒンジ
３８  凹口
４０、４２  半球体
４４  ヒンジ
４６  係止爪
４８  凹口
５０  凹口
２２Ａ、２２Ｂ  ホルダ
５２  クリスマスツリー
１００  装飾アクセサリ
２００  装飾アクセサリ
【図１】
0003104267.tif 000003
【図２】
0003104267.tif 000004
【図３】
0003104267.tif 000005
【図４】
0003104267.tif 000006
【図５】
0003104267.tif 000007
【図６】
0003104267.tif 000008
【図７】
0003104267.tif 000009